(57)【特許請求の範囲】
【請求項１】
第１の記録媒体中の各記録単位のデータを読み出してハードディスクに一旦保存する保存手段と、保存された各記録単位のデータを順次第２の記録媒体に記録する記録手段と、前記第２記録媒体への記録中にその容量が足りなくなったときは、未記録の記録単位について別の第２記録媒体へ記録を行うか否かの指示を受け入れる手段と、前記ハードディスクに一旦保存されている各記録単位のデータを消去する消去手段とを備えた記録装置において、
前記消去手段は、前記第２記録媒体への記録中にその容量が足りなくなったときでも、前記別の第２記録媒体への記録を行う旨の指示があった場合は、前記未記録の記録単位についての前記データの消去を留保するものであることを特徴とする記録装置。
【請求項２】
前記記録手段は、前記別の第２記録媒体への記録を行う旨の指示があった場合、その記録を、前記消去が留保されたデータに基づいて行うものであることを特徴とする請求項１に記載の記録装置。
【請求項３】
前記消去手段は、前記別の第２記録媒体への記録を行わない旨の指示があった場合、前記ハードディスクに一旦保存されている前記未記録の記録単位のデータを消去するものであることを特徴とする請求項１又は２に記載の記録装置。
【請求項４】
第１の記録媒体中の各記録単位のデータを読み出してハードディスクに一旦保存する保存工程と、保存された各記録単位のデータを順次第２の記録媒体に記録する記録工程と、前記第２記録媒体への記録中にその容量が足りなくなったときは、未記録の記録単位について別の第２記録媒体へ記録を行うか否かの指示を受け入れる工程と、前記ハードディスクに一旦保存されている各記録単位のデータを消去する消去工程とを備えた記録方法において、
前記消去工程では、前記第２記録媒体への記録中にその容量が足りなくなったときでも、前記別の第２記録媒体への記録を行う旨の指示があった場合は、前記未記録の記録単位についての前記データの消去を留保することを特徴とする記録方法。
【請求項５】
前記記録工程では、前記別の第２記録媒体への記録を行う旨の指示があった場合、その記録を、前記消去が留保されたデータに基づいて行うことを特徴とする請求項４に記載の記録方法。
【請求項６】
前記消去工程では、前記別の第２記録媒体への記録を行わない旨の指示があった場合、前記ハードディスクに一旦保存されている前記未記録の記録単位のデータを消去することを特徴とする請求項４又は５に記載の記録方法。
【発明の詳細な説明】
【０００１】
【発明の属する技術分野】
本発明は、記録装置及び方法に関する。
【０００２】
【従来の技術】
近年、主にパソコンで使われているハードディスクをＡＶ機器に利用したものが増えてきており、その１つとして、音楽や映像をハードディスクに記録するハードディスクレコーダ（以下、「ＨＤＤＲ」という。）というものが出回っている。このようなＡＶ機器としては、ＴＶモニタを使用したＧＵＩ（Graphical User Interface）機能を介して操作できるようにしたものもある。さらに、ＨＤＤＲにＣＤ−Ｒ／ＲＷ（CD-Recordable／Rewritable）ドライブを搭載し、ハードディスク内の音楽データや、装置外部又は内部のＣＤ（コンパクトディスク）ドライブからの音楽データをＣＤに記録して音楽ＣＤを作成できるようにしたものも知られている。
【０００３】
図１はＣＤ−Ｒ／ＲＷドライブを搭載したＨＤＤＲを利用したオーディオシステムの構成を示す。図中の１はＣＤ−Ｒ／ＲＷドライブを搭載したＨＤＤＲ、２はＨＤＤＲ１に接続されたアンプ、３はアンプ２により駆動されるスピーカ、４はアンプ２に接続されたＭＤ（ミニディスク）プレーヤ、ＤＡＴ（Digital Audio Tape）プレーヤ等のソース機器、５はアンプ２に接続されたＣＤ又はＤＶＤ（デジタル・バーサタイル・ディスク）のメガチェンジャ、６はＨＤＤＲ１の操作におけるＧＵＩ機能を提供するためのＴＶモニタである。なお、アンプ２を有していない場合は、メガチェンジャ５やソース機器４はＨＤＤＲ１に対して直接接続される。ＨＤＤＲ１はアンプ２を介してメガチェンジャ５やソース機器４からのディジタル又はアナログ信号を取り込んでハードディスクに記録することができる。ディジタル信号で取り込める場合はリニアＰＣＭのフォーマットで記録し、アナログ信号を取り込む場合はＭＰ３（MPEG-1 Audio Layer-III）のフォーマットで記録する。
【０００４】
図３はこの構成において、ＨＤＤＲ１のＣＤ−Ｒ／ＲＷドライブにセットした未記録のＣＤ−Ｒに対し、メガチェンジャ５内の音楽ＣＤ又はＭＰ３ファイルが記録されたＣＤ（以下、「オリジナルＣＤ」という。）中の所望の曲のみを抽出して録音することによりお気に入りのＣＤを作成する録音処理の手順を示すフローチャートである。録音処理を開始すると、ＨＤＤＲ１はまず、ステップ３１において、オリジナルＣＤに収録されている曲のうちからの所望のものの選択を、ＴＶモニタ６を用いたＧＵＩインタフェース機能を介して受け入れる。選択用のメニューはオリジナルＣＤのＴＯＣ（Table of Contents）情報等を参照して作成することができる。
【０００５】
次にステップ３２において、選択された曲のデータを１曲ずつオリジナルＣＤからハードディスクにキャッシュする。これを、ステップ３３において、選択された全曲のデータのキャッシュが終了したと判定するまで繰り返す。
【０００６】
次に、ステップ３４において、キャッシュした各曲のデータを、ＣＤ−Ｒ／ＲＷドライブにセットされているＣＤ−Ｒに１曲ずつ記録する。記録した曲のデータはキャッシュから削除する。これを、ステップ３６において、キャッシュしたすべての曲について記録が完了したと判定されるまで、あるいはその前にステップ３５において、ＣＤ−Ｒの容量が無くなったと判定するまで行う。ステップ３６において、保存したすべての曲について記録が完了したと判定した場合は録音処理を終了する。
【０００７】
ステップ３５において、ＣＤ−Ｒの容量が無くなったと判定した場合は、ステップ３７において、キャッシュしてある残りの曲のデータをすべて削除し、ステップ３８において、記録できなかった曲について再度録音処理を行うか否かの選択を受け入れる。再度録音処理を行う場合はステップ３１へ戻り、行わない場合は録音処理を終了する。ただし、ステップ３１へ戻る場合は、ユーザにより、ＣＤ−Ｒ／ＲＷドライブに新たな未記録のＣＤ−Ｒがセットされる。
【０００８】
【発明が解決しようとする課題】
しかしながら、この従来技術によれば、ＣＤ−Ｒの容量が足りなくなり、選択した全曲を録音できなかったために、ユーザがステップ３８において再度録音処理を行うことを選択した場合には、録音できなかった曲について、再度ステップ３１における曲の選択及びステップ３２における選択曲のキャッシュを行わなければならない。そして、ソース機器４やメガチェンジャ５とＨＤＤＲ１はＲＣＡピンコード又は光ケーブルで接続されているので、ステップ３２における選択曲のキャッシュは当然、等倍速で行われ、各選択曲の演奏時間を合計した時間を要することになる。したがって、録音できなかった曲について再び録音処理を行う場合、キャッシュ処理に要する長い時間と、選曲の労力が再度費やされることになる。
【０００９】
本発明の目的は、このような従来技術の問題点に鑑み、記録装置及び方法において、記録媒体の容量が足りなくなって記録できなかった記録単位についての別の記録媒体への記録を効率良く行えるようにすることにある。
【００１０】
【課題を解決するための手段】
この目的を達成するため第１の発明に係る記録装置は、第１の記録媒体中の各記録単位のデータを読み出してハードディスクに一旦保存する保存手段と、保存された各記録単位のデータを順次第２の記録媒体に記録する記録手段と、前記第２記録媒体への記録中にその容量が足りなくなったときは、未記録の記録単位について別の第２記録媒体へ記録を行うか否かの指示を受け入れる手段と、前記ハードディスクに一旦保存されている各記録単位のデータを消去する消去手段とを備えた記録装置において、前記消去手段は、前記第２記録媒体への記録中にその容量が足りなくなったときでも、前記別の第２記録媒体への記録を行う旨の指示があった場合は、前記未記録の記録単位についての前記データの消去を留保するものであることを特徴とする。
【００１１】
ここで、第１記録媒体としては、たとえば音楽ＣＤやＤＶＤが該当する。第２記録媒体としては、たとえばＣＤ−Ｒ（CD-Recordable）やＣＤ−ＲＷ（CD‐Rewritable）が該当する。第１記録媒体中の各記録単位のデータの読出しは、たとえば選択された記録単位についてのみ行われる。第１記録媒体中の各記録単位のデータの読出しには、たとえば音楽ＣＤの場合、演奏時間と同一の時間を要する。消去手段は、たとえば、第２記録媒体への記録が終了した記録単位については、各記録単位毎に、記録が終了した時点で、そのデータをハードディスクから消去する。記録単位とは、たとえば音楽ＣＤにおける各トラックを意味する。各記録単位のハードディスクへの保存は、たとえばリニアＰＣＭ（Pulse Code Modulation）やＭＰ３（MPEG-1 Audio Layer-III）のフォーマットで行われる。
【００１２】
この構成において、第１記録媒体中の各記録単位のデータを読み出してハードディスクに一旦保存し、これを順次第２記録媒体に記録することにより第１記録媒体の記録単位が第２記録媒体に記録されるが、その際、第２記録媒体への記録中にその容量が足りなくなったとき、従来は、一旦保存したデータを無条件で消去していたため、未記録の記録単位について別の第２記録媒体へ記録を行う場合、その記録単位については再度第１記録媒体から読み出してハードディスクへ保存する必要があった。そこで、本発明では、第２記録媒体への記録中にその容量が足りなくなったときでも、別の第２記録媒体への記録を行う旨の指示があった場合は、未記録の記録単位についてのデータの消去を留保して、未記録の記録単位についてのハードディスクへの再度の読込みを回避するようにしている。
【００１３】
第２の発明に係る記録装置は、第１発明において、前記記録手段は、前記別の第２記録媒体への記録を行う旨の指示があった場合、その記録を、前記消去が留保されたデータに基づいて行うものであることを特徴とする。
【００１４】
第３の発明に係る記録装置は、第１又は第２発明において、前記消去手段は、前記別の第２記録媒体への記録を行わない旨の指示があった場合、前記ハードディスクに一旦保存されている前記未記録の記録単位のデータを消去するものであることを特徴とする。
【００１５】
第４の発明に係る記録方法は、第１の記録媒体中の各記録単位のデータを読み出してハードディスクに一旦保存する保存工程と、保存された各記録単位のデータを順次第２の記録媒体に記録する記録工程と、前記第２記録媒体への記録中にその容量が足りなくなったときは、未記録の記録単位について別の第２記録媒体へ記録を行うか否かの指示を受け入れる工程と、前記ハードディスクに一旦保存されている各記録単位のデータを消去する消去工程とを備えた記録方法において、前記消去工程では、前記第２記録媒体への記録中にその容量が足りなくなったときでも、前記別の第２記録媒体への記録を行う旨の指示があった場合は、前記未記録の記録単位についての前記データの消去を留保することを特徴とする。
【００１６】
第５の発明に係る記録方法は、第４発明において、前記記録工程では、前記別の第２記録媒体への記録を行う旨の指示があった場合、その記録を、前記消去が留保されたデータに基づいて行うことを特徴とする。
【００１７】
第６の発明に係る記録方法は、第４又は第５発明において、前記消去工程では、前記別の第２記録媒体への記録を行わない旨の指示があった場合、前記ハードディスクに一旦保存されている前記未記録の記録単位のデータを消去することを特徴とする。
【００１８】
【発明の実施の形態】
図１は本発明の一実施形態に係るＨＤＤＲ（ハードディスクレコーダ）を利用した録音システムの構成を示す。図中の１はＣＤ−Ｒ／ＲＷドライブを搭載したＨＤＤＲ、２はＨＤＤＲ１に接続されたアンプ、３はアンプ２により駆動されるスピーカ、４はアンプ２に接続されたＭＤ（ミニディスク）プレーヤ、ＤＡＴ（Digital Audio Tape）プレーヤ等のソース機器、５はアンプ２に接続されたＣＤ又はＤＶＤ（デジタル・バーサタイル・ディスク）のメガチェンジャ、６はＨＤＤＲ１の操作におけるＧＵＩ機能を提供するためのＴＶモニタである。ソース機器４やメガチェンジャ５とアンプ２間及びＨＤＤＲ１とアンプ２間はＲＣＡピンコードや光ケーブルで接続される。なお、アンプ２を有していない場合は、メガチェンジャ５やソース機器４はＨＤＤＲ１に対して直接接続される。ＨＤＤＲ１はアンプ２を介してメガチェンジャ５やソース機器４からのディジタル又はアナログ信号を取り込んでハードディスクに記録することができる。ディジタル信号で取り込める場合はリニアＰＣＭのフォーマットで記録し、アナログ信号を取り込む場合はＭＰ３（MPEG-1 Audio Layer-III）で記録する。
【００１９】
図２は、この録音システムにおける録音処理の手順を示すフローチャートである。同図に示すように、録音処理を開始すると、ＨＤＤＲ１はまず、ステップ２０において、ＴＶモニタ６を用いたＧＵＩインタフェース機能を介し、録音を希望する曲の選択を受け入れる。曲の選択はメガチェンジャ６にセットされているＣＤ又はＤＶＤ（オリジナルＣＤ）に収録されている曲の中から行われ、その際の選択用のメニューはオリジナルＣＤのＴＯＣ（Table of Contents）情報等を参照して作成することができる。
【００２０】
次に、ステップ２１において、選択された曲のデータを１曲ずつメガチェンジャ５から受け取ってハードディスクにキャッシュする。これを、選択された全曲についてキャッシュが終了した旨がステップ２２において判定されるまで繰り返す。
【００２１】
次に、ステップ２３において、キャッシュした各曲についてそのデータをＣＤ−Ｒ／ＲＷドライブにセットされている未記録のＣＤ−Ｒに１曲ずつ記録することにより録音を行い、ステップ２４において、録音した曲のデータをキャッシュから削除する。このステップ２３及び２４の処理は、キャッシュしたすべての曲について録音が完了したとステップ２６において判定するまで、あるいはその前にＣＤ−Ｒの容量が足りなくなったとステップ２５において判定するまで行う。ステップ２６において、キャッシュしたしたすべての曲について録音が完了したと判定した場合は録音処理を終了する。
【００２２】
ステップ２５においてＣＤ−Ｒの容量が足りなくなったと判定した場合は、ステップ２７において、キャッシュ上に録音していない曲のデータが残っているか否かを判定する。残っていないと判定した場合は録音処理を終了する。残っていると判定した場合は、ステップ２８において、録音できなかった曲について別のＣＤ−Ｒに録音するか否かの選択を、ＧＵＩ機能を介して受け入れ、ステップ２９においてその選択の結果を判定する。別のＣＤ−Ｒに録音する旨が選択された場合はステップ２３へ戻ってステップ２３〜２６を繰り返すことにより、録音できなかった曲について別のＣＤ−Ｒへの録音を行う。別のＣＤ−Ｒに録音しない旨が選択された場合は、ステップ３０において、録音できなかった曲のデータをキャッシュから削除し、録音処理を終了する。
【００２３】
本実施形態によれば、録音できなかった曲を削除する前に、それらの曲を別のＣＤ−Ｒに録音するかどうかの選択を受け入れ、別のＣＤ−Ｒに録音する旨が選択された場合には、録音できなかった曲のデータを削除せずに留保し、そのデータを用いて録音を続行するようにしたため、ステップ２０における選択の受入れやステップ２１及び２２におけるキャッシュの処理を再度行う必要がなくなる。したがって、録音処理を効率的に行うことができる。
【００２４】
【発明の効果】
以上説明したように本発明によれば、第２記録媒体への記録中にその容量が足りなくなったときでも、別の第２記録媒体への記録を行う旨の指示があった場合は、未記録の記録単位についてのデータ消去を留保するようにしたため、未記録の記録単位についての再度の読込みを回避し、未記録の記録単位についての別の第２記録媒体への記録を効率良く行うことができる。
【図面の簡単な説明】
【図１】本発明の一実施形態に係るＨＤＤＲ（ハードディスクレコーダ）を利用した録音システムの構成を示すブロック図である。
【図２】図１の録音システムにおける録音処理の手順を示すフローチャートである。
【図３】従来の録音処理の手順を示すフローチャートである。
【符号の説明】
１：ＨＤＤＲ、２：アンプ、３：スピーカ、４：ソース機器、５：メガチェンジャ、６：ＴＶモニタ。
【図１】
0003806625.tif 000002
【図２】
0003806625.tif 000003
【図３】
0003806625.tif 000004